(57)【要約】【課題】シャッターの隙間から浸入した雨水が室内へ侵入することを防止することができることを目的とする。【解決手段】シャッター７より室内１４側の筒状部１の底部２１に水抜き穴９を設け、水抜き穴９よりも室内１４側の筒状部１の底部２１に上方に凸状の水止めリブ１０を設け、一部の雨水はシャッター７の隙間から浸入してシャッター７同士の間に付着し、シャッター７同士の間に付着した雨水はシャッター７の室内１４側をつたって滴下し、筒状部１の底部２１に溜まり、水止めリブ１０よりも室外１５側に溜まった雨水が水止めリブ１０に接触しせき止められ水抜き穴９に流れ室外１５側へ排出されることとなり、シャッター７の隙間から浸入した雨水が、室内１４へ侵入することを防止することができる換気扇１３を得られる。【選択図】図１
2016156539.tif 000002
【特許請求の範囲】
【請求項１】
室内の空気を室外へ導く筒状部とフランジ部とを有するフレームと、前記フランジ部を覆おうオリフィスと、前記筒状部の内部にモータとファンと、前記筒状部の前記室外側にはシャッターを有し、前記シャッターより前記室内側の前記筒状部の底部に水抜き穴を設け、前記水抜き穴よりも前記室内側の前記筒状部の底部に上方に凸状の水止めリブを設けることを特徴とする換気扇。
【請求項２】
水止めリブの高さを、オリフィスの内壁の高さより低くすることを特徴とする請求項１に記載の換気扇。
【請求項３】
水止めリブを、フレームとは別部品にて構成することを特徴とする請求項１または２に記載の換気扇。
【発明の詳細な説明】
【技術分野】
【０００１】
本発明は、窓などに取り付けられシャッターを有する換気扇に関するものである。
【背景技術】
【０００２】
従来、この種の換気扇は、窓ガラスに設置される窓用換気扇が知られている。
【０００３】
以下、特許文献１に記載の窓用換気扇について図３を参照しながら説明する。
【０００４】
図３に示すように、窓ガラス１０１に設けられた円形状の開口１０２に、その内周縁部および内周縁部周囲の室内１０３の側面と室外１０４側面とを覆うようにして、樹脂からなる帯状で断面形状略コの字状のパッキン部材が嵌着されて円環状の弾性枠１０５が形成される。
【０００５】
そして、前記弾性枠１０５内部に、室内１０３側から円筒状の本体１０６が挿入装着されている。
【０００６】
そして、本体１０６の内部の内周壁から突設された固定脚１０７に固定された電動機１０８の回転軸１０９に羽根１１０を固着させた送風機１１１が設けられる。
【０００７】
そして、本体１０６のフランジ部１１２の室内１０３側には、送風機１１１の羽根１１０に空気を案内するオリフィス１１３およびオリフィス１１３の前方を覆う化粧グリル１１４が着脱自在に嵌着されている。
【０００８】
また、本体１０６の室外１０４側の開口部には、この室外１０４側の開口部を開閉する複数枚のシャッター板１１５と、これらのシャッター板１１５を連結する連結板１１６を介してシャッター板１１５を駆動するシャッター開閉装置１１７とからなるシャッター部１１８が設けられている。
【０００９】
そして、シャッター部１１８のシャッター開閉装置１１７は、送風機１１１の電動機１０８に接続されており、送風機１１１の運転時にシャッター板１１５を開放し、送風機１１１の停止時にはシャッター板１１５を閉鎖するように構成されている。
【先行技術文献】
【特許文献】
【００１０】
【特許文献１】特許第３２５５８２４号公報
【発明の概要】
【発明が解決しようとする課題】
【００１１】
このような従来の換気扇においては、シャッターの隙間から雨水が入り込んで筒状部を通って室内へ侵入して室内が汚れる、という課題を有していた。
【００１２】
そこで本発明は、上記従来の課題を解決するものであり、シャッターの隙間から浸入した雨水が室内へ侵入することを防止することができる換気扇を提供することを目的とする。
【課題を解決するための手段】
【００１３】
そして、この目的を達成するために、本発明は、室内の空気を室外へ導く筒状部とフランジ部とを有するフレームと、前記フランジ部を覆おうオリフィスと、前記筒状部の内部にモータとファンと、前記筒状部の前記室外側にはシャッターを有し、前記シャッターより前記室内側の前記筒状部の底部に水抜き穴を設け、前記水抜き穴よりも前記室内側の前記筒状部の底部に上方に凸状の水止めリブを設けることとしたものであり、これにより所期の目的を達成するものである。
【発明の効果】
【００１４】
本発明によれば、室内の空気を室外へ導く筒状部とフランジ部とを有するフレームと、前記フランジ部を覆おうオリフィスと、前記筒状部の内部にモータとファンと、前記筒状部の前記室外側にはシャッターを有し、前記シャッターより前記室内側の前記筒状部の底部に水抜き穴を設け、前記水抜き穴よりも前記室内側の前記筒状部の底部に上方に凸状の水止めリブを設ける、という構成にしたことにより、一部の雨水はシャッターの隙間から浸入してシャッター同士の間に付着し、シャッター同士の間に付着した雨水はシャッターの室内側をつたって滴下し、筒状部の底部に溜まり、水止めリブよりも室外側に溜まった雨水が水止めリブに接触しせき止められ水抜き穴に流れ室外側へ排出されることとなるので、シャッターの隙間から浸入した雨水が、室内へ侵入することを防止することができる、という効果を得ることができる。
【図面の簡単な説明】
【００１５】
【図１】本発明の実施の形態１の換気扇の設置状態を示す側面断面図
【図２】同換気扇のシャッター無しの状態を示す室外から見た斜視図
【図３】従来の換気扇の設置状態を示す側面断面図
【発明を実施するための形態】
【００１６】
本発明の請求項１記載の換気扇は、室内の空気を室外へ導く筒状部とフランジ部とを有するフレームと、前記フランジ部を覆おうオリフィスと、前記筒状部の内部にモータとファンと、前記筒状部の前記室外側にはシャッターを有し、前記シャッターより前記室内側の前記筒状部の底部に水抜き穴を設け、前記水抜き穴よりも前記室内側の前記筒状部の底部に上方に凸状の水止めリブを設ける、という構成を有する。これにより、一部の雨水はシャッターの隙間から浸入してシャッター同士の間に付着し、シャッター同士の間に付着した雨水はシャッターの室内側をつたって滴下し、筒状部の底部に溜まり、水止めリブよりも室外側に溜まった雨水が水止めリブに接触しせき止められ水抜き穴に流れ室外側へ排出されることとなるので、シャッターの隙間から浸入した雨水が、室内へ侵入することを防止することができる、という効果を奏する。
【００１７】
また、水止めリブの高さを、オリフィスの内壁の高さより低くする、という構成にしてもよい。これにより、ファンから風が内壁の内側を流れることとなるので、風量を確保することができる、という効果を奏する。
【００１８】
また、水止めリブを、フレームとは別部品にて構成する、という構成にしてもよい。これにより、水止めリブを接着剤等でフレームに固定することとなるので、どんなフレームでもシャッターの隙間から浸入した雨水が室内へ侵入することを防止することができる、という効果を奏する。
【００１９】
以下、本発明の実施の形態について図面を参照しながら説明する。
【００２０】
（実施の形態１）
図１および図２に示すように、本実施の形態１の換気扇１３は、室内１４の空気１６を室外１５へ導く筒状部１を有している。
【００２１】
そして、筒状部１の室内１４側の端部には外方に突出したフランジ部２を設ける、
そして、筒状部１の内側すなわち内部には、後に述べるモータ５を固定するためのモータ固定脚部１２を設ける。
【００２２】
そして、上述した筒状部１とフランジ部２とモータ固定脚部１２とで、フレーム３を構成する。
【００２３】
そして、オリフィス４は、フランジ部２を覆うように設ける。
【００２４】
そして、モータ固定脚部１２は、中央にモータ５を保持するモータ固定部１７から放射状の３本のモータ支持部１８を介して筒状部１の内部に接続する形状である。
【００２５】
そして、モータ固定部１７には、モータ５（ＡＣでもＤＣでもどちらでもよい）をねじ等で固定される。
【００２６】
そして、モータ５のシャフト１９にファン６（例えばプロペラファン）を挿入し、その上からスピンナー２０で止める。
【００２７】
筒状部１の室外側にはシャッター７（風圧式シャッターでも機械式シャッターでもどちらでもよいが、この実施の形態１で風圧式シャッターを用いている）を２０備える。
【００２８】
そして、換気扇１３を窓８に取り付ける。
【００２９】
そして、筒状部１の底部２１にはシャッター７より室内１４側かつ窓８よりも室外１５側に水抜き穴９（水抜き穴９は角形状でも丸形状でもよい）と水抜き穴９よりも室内１４側に上方に凸状の水止めリブ１０を設ける。
【００３０】
これにより、シャッター７を閉じたときに雨水の大半はシャッター７に衝突し室外１５へ流れるが、一部の雨水は隣り合うシャッター７間の隙間から進入してシャッター７に付着する。また、筒状部１の内部に付着したりする。
【００３１】
そして、シャッター７同士の間すなわち隣り合うシャッター７間の隙間に付着した雨水はシャッター７の室内１４側をつたって滴下等する。
【００３２】
そして、筒状部１の内面の底部２１の水抜き穴９と水止めリブ１０との間に溜まったり、そのまま水抜き穴９より室外１５へと排出されたりする。
【００３３】
そして、筒状部１の内面に付着した雨水は筒状部１の内面に沿って流れて筒状部１の底部２１の水抜き穴９と水止めリブ１０との間に溜まったり、そのまま水抜き穴９から室外１５へと排出されたりする。
【００３４】
そして、筒状部１の底部２１に溜まった雨水は水抜き穴９と水止めリブ１０がなければ室内１４に浸入する。しかし、雨水が水止めリブ１０によってせき止められ水溜まりとなり、さらに雨水が溜まることで水溜まりが水抜き穴９にまで触れるほど大きくなると雨水は水抜き穴９から室外１５へと排出される。よって、シャッター７同士の間の隙間から浸入した雨水が室内１４へ浸入することを防止することができる。
【００３５】
また、水止めリブ１０は水たまりの高さよりも高くし、その高さは筒状部１の材質により変わってくるが３ｍｍ以上（例えば、材質がポリプロピレンの場合）であることが望ましく、オリフィス４の内壁の高さよりも低くする。
【００３６】
これにより、水止めリブ１０が室内１４から室外１５へ空気１６が流れる風路の妨げとなり風量を低下させることがなくなる。
【００３７】
さらに、水止めリブ１０は筒状部１の室内１４側端部付近に設ける。
【００３８】
このことにより、筒状部１の底部２１に溜まるほとんどの雨水が水止めリブ１０よりも室外１５に集まり、筒状部１の底部２１に溜まったほとんどの雨水を室外１５に排出する。
【００３９】
なお、水止めリブ１０はフレーム３と一体ではなく別部品にて構成し、接着剤などにより水止めリブをフレーム３に固定するという構成にしてもよい。
【００４０】
このことにより、筒状部１の室外１５側端部にシャッター当て１１を設け、金型で水止めリブ１０を設けることが困難な場合でも容易に水止めリブを設けることができる。
【産業上の利用可能性】
【００４１】
本発明にかかる換気扇は、シャッターを閉じたときに室内への雨水の侵入を防止することができることを可能とするものとして居室やトイレや浴室等に設置される換気扇等に有用である。
【符号の説明】
【００４２】
１    筒状部
２    フランジ部
３    フレーム
４    オリフィス
５    モータ
６    ファン
７    シャッター
８    窓
９    水抜き穴
１０  水止めリブ
１１  シャッター当て
１２  モータ固定脚部
１３  換気扇
１４  室内
１５  室外
１６  空気
１７  モータ固定部
１８  モータ支持部
１９  シャフト
２０  スピンナー
２１  底部
【図１】
2016156539.tif 000003
【図２】
2016156539.tif 000004
【図３】
2016156539.tif 000005